(57)【特許請求の範囲】
【請求項１】
設定に応じて用途が異なる複数種類の音色音量を出力できる警報用ブザーであって、
ユーザにより選択された音色音量選択用の複数の制御線のＯＮ／ＯＦＦ状態の組み合わせを確認する選択確認部と、
前記確認された制御線のＯＮ／ＯＦＦに応じて波形パラメータを生成するパラメータ生成部と、
前記波形パラメータに基づいて波形を生成する波形生成部と、
前記生成された波形を音として出力する発音体と、を備え、
前記パラメータ生成部は、前記確認された制御線のＯＮ／ＯＦＦ状態の組み合わせに対応させて、プログラムに応じて用途ごとに設定された１周期における２つのポートのオン時間およびオフ時間ならびに周期の繰り返し回数を波形パラメータとして生成することを特徴とする警報用ブザー。
【請求項２】
前記音色音量選択用の制御線は、２本で構成されていることを特徴とする請求項１記載の警報用ブザー。
【請求項３】
前記パラメータ生成部は、前記複数種類の音色音量として、小音量の短い確認音、大音量の警報音および小音量から徐々に大音量となる警報音に対応する波形パラメータを生成することを特徴とする請求項１または請求項２記載の警報用ブザー。
【発明の詳細な説明】
【技術分野】
【０００１】
本発明は、設定に応じて複数種類の音色音量を出力できる警報用ブザーに関する。
【背景技術】
【０００２】
従来、産業機器、警報装置などのスイッチのＯＮ／ＯＦＦ確認用のブザーが知られている。このようなブザーでは、発振器をいくつかのゲート回路やディスクリート部品の組み合わせで構成することから、通常、実装できる回路規模との関係で１種類の音色と音量しか発音できない事情がある。そのため、異常発生時確認用のブザーを警報装置のスイッチのＯＮ／ＯＦＦ確認に兼用するとスイッチＯＮ／ＯＦＦするたびに大音量を発音し、周囲にいる人を驚かして迷惑を掛けるなどの問題が生じてしまう。
【０００３】
この問題を解決し、１つのブザーユニットで数種類の音色音量を発音させるために、ユーザー側で発音体に発振器、ドライバーユニットを別に用意する場合がある。そのような場合には、発音体の仕様に合わせてユーザが設計して用意する必要がある。
【０００４】
これに対して、発振パルスの周波数と同発振パルスのデューティー比並びにトリガパルスのパルス幅という三つのパラメータの組み合わせでブザーを鳴らす方法が提案されている（たとえば、特許文献１参照）。特許文献１には、三つのパラメータに代えて、トリガパルス発生のオン・オフと発振パルスの周波数のパラメータの組み合わせのみでブザーを鳴らすことも開示されている。
【先行技術文献】
【特許文献】
【０００５】
【特許文献１】特開平８−１８８０８４号公報
【発明の概要】
【発明が解決しようとする課題】
【０００６】
しかしながら、特許文献１には、具体的な構成やユーザがパラメータを選択する方法までは記載されておらず、特許文献１記載のブザーが必ずしもシンプルな構成で、ユーザにとって使い勝手が良いものであるとはいえない。
【０００７】
本発明は、このような事情に鑑みてなされたものであり、シンプルな構成で、ユーザが目的に応じて音色音量を選択できる警報用ブザーを提供することを目的とする。
【課題を解決するための手段】
【０００８】
（１）上記の目的を達成するため、本発明に係る警報用ブザーは、設定に応じて複数種類の音色音量を出力できる警報用ブザーであって、音色音量選択用の制御線のＯＮ／ＯＦＦを確認する選択確認部と、前記確認された制御線のＯＮ／ＯＦＦに応じて波形パラメータを生成するパラメータ生成部と、前記波形パラメータに基づいて波形を生成する波形生成部と、前記生成された波形を音として出力する発音体と、を備えることを特徴としている。
【０００９】
このように、本発明の警報用ブザーは、選択確認部が音色音量選択用の制御線のＯＮ／ＯＦＦを確認するため、小型のユニット１つに電源入力線と音色選択用制御線の入力を入れるシンプルな構成で、ユーザが目的に応じて音色音量を選択できるようにし、音色音量をカスタマイズ可能にしている。
【００１０】
（２）また、本発明に係る警報用ブザーは、前記パラメータ生成部は、前記確認された制御線のＯＮ／ＯＦＦに対応させて１周期における２つのポートのオン時間およびオフ時間ならびに周期の繰り返し回数を波形パラメータとして生成することを特徴としている。これにより、シンプルな構成で、複数の音色音量を生成することができる。
【００１１】
（３）また、本発明に係る警報用ブザーは、前記音色音量選択用の制御線は、２本で構成されていることを特徴としている。これにより、最小限の構成で、４つの音色音量を選択できるブザーを構成できる。
【発明の効果】
【００１２】
本発明の警報用ブザーによれば、シンプルな構成で、ユーザが目的に応じて音色音量を選択できる。
【図面の簡単な説明】
【００１３】
【図１】本発明に係る警報用ブザーの電気的構成を示すブロック図である。
【図２】本発明に係る警報用ブザーの外観を示す斜視図である。
【図３】本発明に係る警報用ブザーの動作を示すフローチャートである。
【図４】生成される波形の例を示す図である。
【発明を実施するための形態】
【００１４】
以下に、本発明の実施形態を図面に基づいて説明する。また、説明の理解を容易にするため、各図面において同一の構成要素に対しては同一の参照番号を付し、重複する説明は省略する。
【００１５】
（警報用ブザーの構成）
図１は、警報用ブザー１０の電気的構成を示すブロック図である。図中の実線の矢印は、信号の流れを示し、破線の矢印は電源電圧の流れを示している。警報用ブザー１０は、ユーザの設定に応じて複数種類の音色音量を出力できるように構成されている。図１に示すように、警報用ブザー１０は、選択確認部１１、パラメータ生成部１２、波形生成部１３、駆動部１４、発音体１５およびＤＣ／ＤＣコンバータ１５ａを備えている。
【００１６】
選択確認部１１は、音色音量選択用の制御線のＯＮ／ＯＦＦを確認する。制御線は、外部に取り出され、ユーザが選択できる選択ボタンのいずれが押されているかによりＯＮ／ＯＦＦがなされるように接続されている。これにより、小型のユニット１つに電源入力線と音色選択用制御線の入力を入れるシンプルな構成で、ユーザが目的に応じて音色音量を選択できるようにし、音色音量をカスタマイズ可能にしている。
【００１７】
パラメータ生成部１２は、確認された制御線のＯＮ／ＯＦＦに応じて波形パラメータを生成する。たとえば、制御線を２本有する場合、ＯＮ、ＯＦＦの組合せにより最大４種類の発音タイプをユーザは選択できる。パラメータ生成部１２は、ｎ種類の発音タイプに対し第１〜第ｎパラメータ生成部を有しており、上記の例のように４種類の発音タイプがある場合には、第１〜第４パラメータ生成部により、それぞれの発音タイプに対応するパラメータを生成する。
【００１８】
第１〜第ｎパラメータ生成部は、選択確認部１１により確認された制御線のＯＮ／ＯＦＦに対応させて１周期における２つのポートのＯＮ時間およびＯＦＦ時間ならびに周期の繰り返し回数を波形パラメータとして生成する。これにより、シンプルな構成で、複数の音色音量を生成することができる。
【００１９】
波形生成部１３は、波形パラメータに基づいて波形を生成する。そして、発音体１５に生成された波形を出力する。パラメータと波形の例については後述する。駆動部１４は、生成された波形により発音体１５を駆動し、波形の出力を行なう。駆動部１４は、たとえば２回路入りインバータタイプのゲートドライバーＩＣを有し、電流制限用抵抗を介して発音体１５に接続された回路として構成される。
【００２０】
発音体１５は、波形生成部１３で生成された波形を音として出力する。発音体１５には、たとえばバイモルフ型の圧電素子によるものが用いられる。また、発音体１５は、駆動部１４とＢＴＬ接続で接続されていることが好ましい。これにより、出力電圧を効率良く稼ぐことができる。
【００２１】
上記のうち、発振器に相当する選択確認部１１、パラメータ生成部１２および波形生成部１３は、ワンチップマイクロコンピュータに書き込まれたプログラムの機能により構成できる。プログラムの書き込みは、プログラム書き込みポートから行なう。実装基板上でプログラム書き換えが可能であるため、書き込まれたプログラムをユーザー希望にカスタマイズした音色音量のプログラムに容易に書き換えることもできる。プログラムは、基板完成後にプログラムライターで書き込める。プログラムは、短いものとなるためアッセンブラ言語で作成するのが好ましい。
【００２２】
ＤＣ／ＤＣコンバータ１５ａは、電源電圧を安定供給する。電源は、逆接続破壊防止用ダイオードとＯＮ／ＯＦＦ制御用のトランジスタを介してＤＣ／ＤＣコンバータ１５ａに接続されている。そして、電源電圧は昇圧され、ＤＣ／ＤＣコンバータ１５ａにより駆動部１４に安定出力される。また、選択確認部１１、パラメータ生成部１２および波形生成部１３へはレギュレータで比較的低い電圧に安定化してから供給される。
【００２３】
上記のように、警報用ブザー１０は従来品に比べて多機能になったにも関わらず発振器部分がワンチップマイクロコンピュータ１個になっている。その結果、大幅な部品削減が実現でき、回路規模の小型化とコストダウンが可能となる。
【００２４】
（警報用ブザーの外観）
図２は、警報用ブザー１０の外観を示す斜視図である。図２に示すように、警報用ブザー１０は、ブザー本体１６、電源入力線１８ａ、１８ｂ、音色音量選択用の制御線１９ａ、１９ｂで構成されている。ブザー本体１６は、直径４０〜６０ｍｍ、高さ１５〜２５ｍｍ程度のドラム状に形成されている。
【００２５】
ワンチップマイクロコンピュータのＩ／Ｏの一部の配線を外に取り出したことで、ユーザは制御線１９ａ、１９ｂのＯＮ／ＯＦＦで数種類の音色音量を選択できる。ブザー本体１６の内部には、ワンチップマイクロコンピュータを有する基板が設置されており、電源入力線１８ａ、１８ｂおよび制御線１９ａ、１９ｂは、基板に接続されている。このようなワンチップ化により部品点数が削減されコストを低減できる。
【００２６】
音色音量選択用の制御線１９ａ、１９ｂは、２本で構成されていることが好ましい。これにより、ブザー本体１６から引き出された制御線１９ａ、１９ｂをＯＮ／ＯＦＦすることで音色音量を選択することができる。そして、最小限の構成で、４つの音色音量を選択できるブザーを構成できる。また、ユーザーの希望に応じて音色音量をカスタマイズできる。制御線１９ａ、１９ｂは、たとえば４つの選択ボタンを有する選択部に接続され、ユーザによりＯＮ／ＯＦＦが決定される。
【００２７】
このように数種類の音色音量を選択でき、状態に応じた音色音量を使い分けることができるため、例えば以下の（１）〜（３）に挙げるような用途で、音色音量を設定することもできる。スイッチと音色音量との対応は、書き込まれたプログラムに応じて決まる。
（１）産業機器、警報装置などのスイッチＯＮ／ＯＦＦ確認用：小音量の短い確認音
（２）異常発生時確認用：大音量の警報音
（３）タイマーや装置停止確認用など：小音量から徐々に大音量
【００２８】
また、１種類のブザーでユーザーの製品別に音色音量を多数使い分けするという応用例も考えられる。このような警報用ブザー１０は、自動車、バイクの盗難防止用、産業用ロボットの動作状態確認警報用、防犯防災警報用等、様々な用途に使用可能である。
【００２９】
（警報用ブザーの動作）
次に、上記のように構成された警報用ブザー１０の動作を説明する。図３は、警報用ブザーの動作を示すフローチャートである。まず、制御線のＯＮ／ＯＦＦでユーザによる音色音量選択を確認する（ステップＳ１）。次に、確認された音色音量選択の結果に応じてパラメータを生成する（ステップＳ２）。
【００３０】
そして、生成されたパラメータに従って、ユーザにより選択された音色音量の波形を生成し（ステップＳ３）、波形を発音体１５に出力する（ステップＳ４）。これにより、発音体１５は、波形によって決まる音色音量の音を発生させる。電源がＯＦＦになっているかを判定し（ステップＳ５）、ＯＦＦであれば終了する。ＯＮであればステップＳ１に戻る。
【００３１】
（波形生成の例）
上記のように、警報用ブザー１０は、ユーザの選択に応じて生成されたパラメータにより波形を発生させることができる。図４は、生成される波形の例を示す図である。図４は、発音中の１サイクルを示している。図４に示す例では、プラス側とマイナス側の電圧制御をワンチップマイコンの４つあるポートの内、２つのポートＰ１、Ｐ２を使用して別々に行ない、波形を生成する。この制御方法によりＯＮ時間とＯＦＦ時間とのデューティー比を制御し音圧も制御可能である。
【００３２】
発音のパターンは、“ＯＮ時間”、“ＯＦＦ時間”、“繰り返し回数”の３パラメータで設定できる。まず、発振周波数はＯＮ時間とＯＦＦ時間の合計時間で決定され、１サイクル＝（ＯＮ時間＋ＯＦＦ時間）×２となる。したがって、周波数＝１／（（ＯＮ時間＋ＯＦＦ時間）×２）となる。また、発振時間＝（ＯＮ時間＋ＯＦＦ時間）×２×繰り返し回数である。
【００３３】
このようにして、波形生成が完了した後、引き続き同じパラメータを用いる場合もあるが、パラメータを変えて波形生成から発音までのサブルーチンを行なうことで、スイープや間欠などの特殊な発振も可能になる。
【符号の説明】
【００３４】
１０  警報用ブザー
１１  選択確認部
１２  パラメータ生成部
１３  波形生成部
１４  駆動部
１５  発音体
１５ａ  ＤＣ／ＤＣコンバータ
１６  ブザー本体
１８ａ、１８ｂ  電源入力線
１９ａ、１９ｂ  制御線
【図１】
0006035825.tif 000002
【図２】
0006035825.tif 000003
【図３】
0006035825.tif 000004
【図４】
0006035825.tif 000005